【手続補正書】
【提出日】平成15年11月17日(2003.11.17)
【手続補正１】
【補正対象書類名】特許請求の範囲
【補正対象項目名】全文
【補正方法】変更
【補正の内容】
【特許請求の範囲】
【請求項１】
デジタルデータを記憶し読み出すために使用される光ディスクであって、内周部と外周部を有し少なくとも光ディスクの第１表面が光を伝達することができる第１表面と第２表面と、デジタルデータを記憶して第１表面及び第２表面の内周及び外周の間に位置する領域であって、前記デジタルデータが前記光ディスクの第１表面を貫通して光を輝かせることによりアクセス可能となる前記領域と、前記光ディスクの少なくとも第１表面に位置する１つ又は複数の突出部であって、前記１つ又は複数の突出部は前記光ディスクに記憶された前記デジタルデータの読み込みとの干渉を最小にするとともに、前記光ディスクがその第１表面をほぼ平らな表面に向けてそのほぼ平らな表面上に置かれる際に前記光ディスクの第１表面と前記ほぼ平らな表面との間に間隙を与えるような大きさに作られ構成される１つ又は複数の突出部と、前記光ディスクの第２表面に位置する窪みとからなる光ディスク。
【請求項２】
窪みが一つ又は複数の突出部を収容するような大きさに作られ構成される請求項１記載の光ディスク。
【請求項３】
少なくとも第１表面を有する光ディスクであって、突出部が前記第１表面の外端部上に離間していて、前記突出部が第１の構成を有する少なくとも１つの第１の型の突出部と前記第１の構成と異なる第２の構成を有する少なくとも１つの第２の型の突出部を含むとともに、前記第１の構成が少なくとも１つの第１の高さを含み前記第２の構成が少なくとも１つの第２の高さを含む多くの離散的な突出部からなる光ディスク。
【請求項４】
少なくとも１つの第１表面を有する光ディスクであって、突出部が前記第１表面の外端部上に離間していて、前記突出部が第１の構成を有する少なくとも１つの第１の型の突出部と前記第１の構成と異なる第２の構成を有する少なくとも１つの第２の型の突出部を含むとともに、前記第１の構成が少なくとも１つの第１の形状を含み前記第２の構成が少なくとも１つの第２の形状を含む多くの離散的な突出部からなる光ディスク。
【請求項５】
少なくとも１つの第１表面を有する光ディスクであって、突出部が前記第１表面の外端部上に離間していて、前記突出部が第１の構成を有する少なくとも１つの第１の型の突出部と前記第１の構成と異なる第２の構成を有する少なくとも１つの第２の型の突出部を含むとともに、前記第１の構成が少なくとも１つの第１の長さを含み前記第２の構成が少なくとも１つの第２の長さを含む多くの離散的な突出部からなる光ディスク。
【請求項６】
少なくとも１つの第１表面を有する光ディスクであって、突出部が前記第１表面の外端部上に離間していて、前記突出部が第１の構成を有する少なくとも１つの第１の型の突出部と前記第１の構成と異なる第２の構成を有する少なくとも１つの第２の型の突出部を含むとともに、前記第１の構成が少なくとも１つの第１の幅を含み前記第２の構成が少なくとも１つの第２の幅を含む多くの離散的な突出部からなる光ディスク。
【請求項７】
前記第１の構成は少なくとも１つの第１の形状と第１の高さを含み、前記第２の構成は少なくとも１つの第２の形状と第２の高さを含む請求項３乃至６いずれかに記載の光ディスク。
【請求項８】
さらに、第１の型の突出部と第２の型の突出部の少なくとも１つの所定のパターンからなる請求項３乃至６いずれかに記載の光ディスク。
【請求項９】
さらに、第１の型の突出部と第２の型の突出部の所定のパターンからなり、第１の型の突出部と第２の型の突出部が互い違いに離間している請求項３乃至６いずれかに記載の光ディスク。
【請求項１０】
第１の型の突出部と第２の型の突出部の所定のパターンからなり、２つの第２の型の突出部が２つの隣接する第１の型の突出部間に位置する請求項３乃至６いずれかに記載の光ディスク。
【請求項１１】
さらに、第１の型の突出部と第２の型の突出部の所定のパターンからなり、第１の型の突出部と第２の型の突出部が互い違いに離間しているとともに、さらに前記第１の構成が少なくとも１つの第１の高さを含み前記第２の構成が少なくとも１つの第２の高さを含む請求項３乃至６いずれかに記載の光ディスク。
【請求項１２】
さらに、第１の型の突出部と第２の型の突出部の所定のパターンからなり、第１の型の突出部と第２の型の突出部が互い違いに離間しているとともに、さらに前記第１の構成が少なくとも１つの第１の形状を含み前記第２の構成が少なくとも１つの第２の形状を含む請求項３乃至６いずれかに記載の光ディスク。
【請求項１３】
さらに、第１の型の突出部と第２の型の突出部の所定のパターンからなり、第１の型の突出部と第２の型の突出部が互い違いに離間しているとともに、さらに前記第１の構成が少なくとも１つの第１の長さを含み前記第２の構成が少なくとも１つの第２の長さを含む請求項３乃至６いずれかに記載の光ディスク。
【請求項１４】
さらに、第１の型の突出部と第２の型の突出部の所定のパターンからなり、第１の型の突出部と第２の型の突出部が互い違いに離間しているとともに、さらに前記第１の構成が少なくとも１つの第１の幅を含み前記第２の構成が少なくとも１つの第２の幅を含む請求項３乃至６いずれかに記載の光ディスク。
【請求項１５】
さらに、第１の型の突出部と第２の型の突出部の所定のパターンからなり、第１の型の突出部と第２の型の突出部が互い違いに離間しているとともに、さらに前記第１の構成が少なくとも第１の形状と第１の高さを含み前記第２の構成が少なくとも第２の形状と第２の高さを含む請求項３乃至６いずれかに記載の光ディスク。
【請求項１６】
前記第１の構成は少なくとも１つの第１の高さを含み前記第２の構成は少なくとも第２の高さを含むとともに、前記第１の型の突出部が所定の間隔を有する請求項３乃至６いずれかに記載の光ディスク。
【請求項１７】
前記第１の構成は少なくとも第１の高さを含み前記第２の構成は少なくとも第２の高さを含むとともに、前記第１の型の突出部が所定の間隔を有し、前記第１の型の突出部の高さは前記第１表面の保護を高めるために選択され、前記第１の型の突出部の間隔はディスクプレイヤーへの読み込み中に干渉を減少させるように選択される請求項３乃至６いずれかに記載の光ディスク。
【請求項１８】
前記第１の構成は少なくとも第１の高さを含み前記第２の構成は少なくとも第２の高さを含むとともに、前記第１の型の突出部が所定の間隔を有し、前記第１の高さは前記第１表面の保護を高めるように選択され、前記第１の型の突出部の間隔はディスクプレイヤーへの読み込み中の干渉を減少させるように選択され、前記第２の高さは前記第１の型の突出部の前記第１の高さと間隔に対して選択される請求項３乃至６いずれかに記載の光ディスク。
【請求項１９】
前記第２の構成は、前記突出部の空気力学を向上させるよう適用される請求項３乃至６いずれかに記載の光ディスク。
【請求項２０】
さらに、外端部付近に少なくとも第３の型の突出部からなり、第１の構成が少なくとも第１の高さを含み第２の構成が少なくとも第２の高さを含むとともに第３の構成が前記第１の高さと前記第２の高さと異なる第３の高さを少なくとも含む第３の構成を有する請求項３乃至６いずれかに記載の光ディスク。
【請求項２１】
さらに、少なくとも第３の型の突出部を備え、外端部付近の第１の型の突出部と第２の型の突出部と第３の型の突出部の所定のパターンを有する請求項３乃至６いずれかに記載の光ディスク。
【請求項２２】
さらに、少なくとも第３の型の突出部を備え、外端部付近の第１の型の突出部と第２の型の突出部と第３の型の突出部の所定のパターンを有し、前記パターンは前記第２の型の突出部に隣接し前記第３の型の突出部に隣接し前記第２の型の突出部に隣接し前記第１の型の突出部に隣接する前記第１の型の突出部の少なくとも１つの配列を含む請求項３乃至６いずれかに記載の光ディスク。
【請求項２３】
さらに、少なくとも第３の型の突出部を備え、外端部付近の前記第１の型の突出部と前記第２の型の突出部と前記第３の型の突出部の所定のパターンを有し、前記パターンは前記第２の型の突出部に隣接し前記第３の型の突出部に隣接し前記第２の型の突出部に隣接し前記第１の型の突出部に隣接する前記第１の型の突出部の少なくとも１つの配列を含むとともに、前記第１の構成は少なくとも第１の高さを含み前記第２の構成は少なくとも第２の高さを含み前記第３の構成は少なくとも第３の高さを含み、前記第１の高さは前記第２の高さより高く前記第２の高さは前記第３の高さより高い請求項３乃至６いずれかに記載の光ディスク。
【請求項２４】
さらに、少なくとも第３の型の突出部を備え、外端部付近の第１の型の突出部と第２の型の突出部と第３の型の突出部の所定のパターンを有し、前記パターンは前記第３の型の突出部に隣接し前記第２の型の突出部に隣接し前記第３の型の突出部に隣接し前記第１の型の突出部に隣接する前記第１の型の突出部の少なくとも１つの配列を含む請求項３乃至６いずれかに記載の光ディスク。
【請求項２５】
さらに、少なくとも第３の型の突出部からなり、外端部付近の第１の型の突出部と第２の型の突出部と第３の型の突出部の所定のパターンを有し、前記パターンは前記第３の型の突出部に隣接し前記第２の型の突出部に隣接し前記第３の型の突出部に隣接し前記第１の型の突出部に隣接する前記第１の型の突出部の少なくとも１つの配列を含むとともに、前記第１の構成は少なくとも第１の高さを含み前記第２の構成は少なくとも第２の高さを含み前記第３の構成は少なくとも第３の高さを含み、前記第１の高さは前記第２の高さより高く前記第２の高さは前記第３の高さより高い請求項３乃至６いずれかに記載の光ディスク。
【請求項２６】
さらに、少なくとも前記第１の型の突出部と前記第２の型の突出部の所定のパターンからなり、隣接する突出部は異なる構成を有する請求項３乃至６いずれかに記載の光ディスク。
【請求項２７】
さらに、少なくとも前記第１の型の突出部と前記第２の型の突出部の所定のパターンを備え、隣接する突出部が異なる高さを有する請求項３乃至６いずれかに記載の光ディスク。
【請求項２８】
さらに、少なくとも前記第１の型の突出部と前記第２の型の突出部の所定のパターンを備え、隣接する突出部が異なる形状を有する請求項３乃至６いずれかに記載の光ディスク。
【請求項２９】
さらに、少なくとも前記第１の型の突出部と前記第２の型の突出部の所定のパターンを備え、前記所定のパターンは互いに隣接する少なくとも２つの第１の型の突出部の少なくとも１つの配列を含む請求項３乃至６いずれかに記載の光ディスク。
【請求項３０】
さらに、少なくとも前記第１の型の突出部と前記第２の型の突出部の所定のパターンを備え、前記所定のパターンは互いに隣接する少なくとも２つの第２の型の突出部の少なくとも１つの配列を含む請求項３乃至６いずれかに記載の光ディスク。
【請求項３１】
さらに、少なくとも前記第１の型の突出部と前記第２の型の突出部の所定のパターンを備え、前記パターンは互いに隣接する少なくとも２つの第１の型の突出部の少なくとも１つの配列を含み互いに隣接する少なくとも２つの第２の型の突出部に隣接する請求項３乃至６いずれかに記載の光ディスク。
【請求項３２】
前記第１の型の構成と前記第２の型の構成の少なくとも１つがが一般的に楕円形からなる請求項３乃至６いずれかに記載の光ディスク。
【請求項３３】
前記第１の型の突出部は第１の高さを含み、前記第１の高さはディスク表面の保護を向上させディスクリーダに読み込み中にディスクによって引き起こされる干渉を受容できるレベルまで減少させるように選択される請求項３乃至６いずれかに記載の光ディスク。
【請求項３４】
前記第１の型の突出部は第１の高さを含み、前記第１の高さはディスク表面の保護を向上させスロットロードディスクリーダに読み込み中にディスクによって引き起こされる干渉を受容できるレベルまで減少させるように選択される請求項３乃至６いずれかに記載の光ディスク。
【請求項３５】
前記光ディスクは外端部や内周部に隣接して離間した離散的な突出部を備える請求項３乃至６いずれかに記載の光ディスク。
【請求項３６】
さらに、前記光ディスクは内周部を備え、離散的な突出部は前記外端部と前記内周部に隣接して離間するとともに、さらに前記外端部や前記内周部に隣接する突出部が半径方向に整列される請求項３乃至６いずれかに記載の光ディスク。
【請求項３７】
さらに、前記光ディスクは内周部を備え、離散的な突出部は前記外端部と前記内周部に隣接して離間するとともに、さらに前記外端部や前記内周部に隣接する突出部が半径方向に並設される請求項３乃至６いずれかに記載の光ディスク。
【請求項３８】
さらに、前記光ディスクは内周部を備え、離散的な突出部は前記外端部と前記内周部に隣接して離間するとともに、さらに前記外端部や前記内周部に隣接する突出部が所定の半径方向に一列に並んでいない請求項３乃至６いずれかに記載の光ディスク。
【請求項３９】
さらに、前記光ディスクは内周部を備え、離散的な突出部は前記外端部と前記内周部に隣接して離間するとともに、さらに前記内周部上の突出部が前記外端部に隣接して方向付けられた２つの隣接する突出部によって形成される角度を二等分する位置に配置される請求項３乃至６いずれかに記載の光ディスク。
【請求項４０】
さらに、内周部に位置する突出部を備え、前記突出部が加熱打ち抜き加工によって形成される請求項３乃至６いずれかに記載の光ディスク。
【請求項４１】
さらに、内周部に位置する突出部を備え、前記突出部がディスク製造中に形成される請求項３乃至６いずれかに記載の光ディスク。
【請求項４２】
さらに、内周部に位置する突出部を備え、前記突出部が射出成形によるディスク製造中に形成される請求項３乃至６いずれかに記載の光ディスク。
【請求項４３】
さらに、内周部に位置する突出部を備え、前記突出部が熱硬化性液体ポリマーによるディスク製造中に形成される請求項３乃至６いずれかに記載の光ディスク。
【請求項４４】
さらに、内周部に位置する突出部を備え、前記突出部が熱可塑性液体ポリマーによるディスク製造中に形成される請求項３乃至６いずれかに記載の光ディスク。
【請求項４５】
さらに、内周部に位置する突出部を備え、前記突出部が転写取着によるディスク製造中に形成される請求項３乃至６いずれかに記載の光ディスク。
【請求項４６】
さらに、内周部に位置する突出部を備え、前記突出部が自己接着性ストックの取着によるディスク製造中に形成される請求項３乃至６いずれかに記載の光ディスク。
【請求項４７】
前記ディスクはスタッキングリング領域と前記スタッキングリング領域上に位置する突出部とを有する内周部を備える請求項３乃至６いずれかに記載の光ディスク。
【請求項４８】
前記ディスクは構造的強化領域と前記ディスクの構造的強化領域上に位置する突出部とを有する内周部を備える請求項３乃至６いずれかに記載の光ディスク。
【請求項４９】
前記ディスクは導入領域と前記ディスクの導入領域近傍に位置する突出部とを有する内周部を備える請求項３乃至６いずれかに記載の光ディスク。
【請求項５０】
前記ディスクは前記外端部に隣接する導出領域を備え、突出部が前記ディスクの導出領域上に位置する請求項３乃至６いずれかに記載の光ディスク。
【請求項５１】
前記ディスクは前記外端部に隣接する導出領域を備え、突出部が前記ディスクの前記導出領域上に位置し前記導出領域最も内側の端部から離間する請求項３乃至６いずれかに記載の光ディスク。
【請求項５２】
さらに、導入領域と導出領域を備え、離散的突出部が前記導出領域上で前記導入領域に隣接して配置される請求項３乃至６いずれかに記載の光ディスク。
【請求項５３】
さらに、データ領域と導入領域と導出領域とを備え、離散的な突出部が前記導出領域上に及び前記導入領域に隣接して配置されるとともに、前記導入領域と導出領域に隣接して配置される突出部間の距離が前記ディスクのデータ領域と干渉することなく最小化される請求項３乃至６いずれかに記載の光ディスク。
【請求項５４】
さらに、データ領域と導入領域と導出領域とを備え、離散的な突出部が前記導出領域上に及び前記導入領域に隣接して配置されるとともに、前記導入領域に隣接して及び前記導出領域上に配置された突出部間の距離が前記ディスクのデータ領域と干渉することなく最小化され、一方前記ディスクが読み込まれるディスクリーダのレーザーヘッドとの干渉の可能性を減少させる請求項３乃至６いずれかに記載の光ディスク。
【請求項５５】
さらに、前記外端部と内周部に隣接して離間した離散的な突出部を備え、前記内周部と外端部上に最も背の高い型の突出部が同じ高さを有するとともに、前記ディスクが熱源にさらされる場合にそりを減少させるよう前記高さが選択される請求項３乃至６いずれかに記載の光ディスク。
【請求項５６】
前記光ディスクは外端部と内周部に隣接して離間した離散的な突出部を備え、前記外端部と内周部に隣接する前記突出部が異なる高さを有する請求項３乃至６いずれかに記載の光ディスク。
【請求項５７】
前記光ディスクは前記外端部と前記内周部に隣接して離間した離散的な突出部を備え、前記外端部に隣接する突出部の数が前記内周部上の突出部の数より大きい請求項３乃至６いずれかに記載の光ディスク。
【請求項５８】
前記光ディスクは前記外端部と内周部に隣接して離間した離散的な突出部を備え、前記外端部と内周部に隣接する突出部間に半径方向に一列に並設される請求項３乃至６いずれかに記載の光ディスク。
【請求項５９】
前記光ディスクは前記外端部と内周部に隣接して離間した離散的な突出部を備え、前記外端部と内周部に隣接する突出部間に半径方向に一列に並設されない請求項３乃至６いずれかに記載の光ディスク。
【請求項６０】
前記光ディスクは前記外端部と内周部に隣接して離間した離散的な突出部を備え、前記内周部上の突出部が前記外端部に隣接する２つの隣接した突出部間の角度を二等分する請求項３乃至６いずれかに記載の光ディスク。
【請求項６１】
前記光ディスクは前記外端部と内周部に隣接して離間した離散的な突出部を備え、前記外端部と前記内周部に隣接して配置された突出部間に予め特定されて一列に並設されていない請求項３乃至６いずれかに記載の光ディスク。
【請求項６２】
前記光ディスクは前記外端部と内周部に隣接して離間した離散的な突出部を備え、前記内周部上の突出部は前記ディスクのスタッキングリング上に形成される請求項３乃至６いずれかに記載の光ディスク。
【請求項６３】
前記光ディスクは前記外端部と内周部に隣接して離間した離散的な突出部を備え、前記内周部上の突出部が前記ディスクの構造的強化領域上に形成される請求項３乃至６いずれかに記載の光ディスク。
【請求項６４】
前記光ディスクは前記外端部と内周部に隣接して離間した離散的な突出部を備え、内側突出部が前記ディスク上に画成された導入領域に隣接して形成される請求項３乃至６いずれかに記載の光ディスク。
【請求項６５】
前記光ディスクは前記外端部と内周部に隣接して離間した離散的な突出部を備え、前記外端部に隣接する突出部が前記ディスク上に画成された導出帯に形成される請求項３乃至６いずれかに記載の光ディスク。
【請求項６６】
前記光ディスクは前記外端部と内周部に隣接して離間した離散的な突出部を備え、前記外端部に隣接する突出部が前記導出領域に配置されるが前記レーザーヘッドとの衝突を妨げるために導出領域の最も内側の端部から離間する請求項３乃至６いずれかに記載の光ディスク。
【請求項６７】
前記光ディスクは前記外端部と内周部に隣接して離間した離散的な突出部を備え、離散的な突出部が前記導出領域上に及び前記導入領域に隣接して配置される請求項３乃至６いずれかに記載の光ディスク。
【請求項６８】
前記光ディスクは前記外端部と内周部に隣接して離間した離散的な突出部を備え、前記外端部と内周部に隣接して配置される突出部間の距離がデータ領域と干渉することなく最小化される請求項３乃至６いずれかに記載の光ディスク。
【請求項６９】
前記光ディスクは前記外端部と内周部に隣接して離間した離散的な突出部を備え、前記外端部と内周部に隣接して配置される突出部間の距離がデータ領域と干渉することなく最小化され、一方レーザーヘッドとの干渉の可能性を最小化する請求項３乃至６いずれかに記載の光ディスク。
【請求項７０】
前記光ディスクは前記外端部と内周部に隣接して離間した離散的な突出部を備え、前記外端部と内周部に隣接して配置される突出部は前記ディスクが熱源にさらされた場合そりを減少するように選択される同じ高さを有する請求項３乃至６いずれかに記載の光ディスク。
【請求項７１】
前記光ディスクは前記外端部と内周部に隣接して離間した離散的な突出部を備え、前記外端部と内周部に隣接して配置される突出部は異なる高さを有する請求項３乃至６いずれかに記載の光ディスク。
【請求項７２】
前記光ディスクは前記外端部と内周部に隣接して離間した離散的な突出部を備え、前記外端部に隣接する突出部の数が前記内周部上の突出部の数より大きい請求項３乃至６いずれかに記載の光ディスク。
【請求項７３】
前記光ディスクは前記外端部に隣接する細長い突出部を備え、伸張の方向が前記ディスクの半径にほぼ垂直である請求項３乃至６いずれかに記載の光ディスク。
【請求項７４】
前記光ディスクは前記外端部に隣接する細長い突出部を備え、突出部が内周部上に備えられていない請求項３乃至６いずれかに記載の光ディスク。
【請求項７５】
前記光ディスクは前記外端部に隣接する細長い突出部を備え、さらに前記内周部上に突出部を備える請求項３乃至６いずれかに記載の光ディスク。
【請求項７６】
前記光ディスクは前記外端部に隣接する細長い突出部を備え、その細長い突出部は少なくとも２つの構成を有する請求項３乃至６いずれかに記載の光ディスク。
【請求項７７】
前記光ディスクが前記外端部に隣接する少なくとも２つの型の突出部を備え、それぞれが所定の構成を有し、２つの型の突出部のそれぞれが異なる大きさを有する請求項３乃至６いずれかに記載の光ディスク。
【請求項７８】
前記光ディスクが前記外端部に隣接する少なくとも２つの型の突出部を備え、それぞれが所定の構成を有し、２つの型の突出部のそれぞれが半径に垂直な方向に伸張した突出部を含む請求項３乃至６いずれかに記載の光ディスク。
【請求項７９】
前記光ディスクが前記外端部に隣接する少なくとも２つの型の突出部を備え、前記第１の型の突出部は細長い突出部を備え前記第２の型の突出部は球形状を備える請求項３乃至６いずれかに記載の光ディスク。
【請求項８０】
前記光ディスクが前記外端部に隣接する少なくとも２つの型の突出部を備え、前記第１の型の突出部は細長い突出部を備え前記第２の型の突出部は前記細長い突出部より小さい形状を備える請求項３乃至６いずれかに記載の光ディスク。
【請求項８１】
前記光ディスクが前記外端部に隣接する少なくとも２つの型の突出部を備え、前記第１の型の突出部は細長い突出部を備えて前記第２の型の突出部は前記細長い突出部より小さい形状を備えるとともに、前記形状は前記第２の型の突出部の質量を最大化し、一方スロットロードドライブに対してサイドプロフィールを最小化する請求項３乃至６いずれかに記載の光ディスク。
【請求項８２】
前記光ディスクは前記外端部と内周部に隣接して離間する離散的な突出部を備え、前記外端部に隣接する前記突出部が前記ディスクの前記外端部にほぼ接して位置するとともに、前記内周部上の突出部が前記ディスクの内端部にほぼ垂直である請求項３乃至６いずれかに記載の光ディスク。
【請求項８３】
前記光ディスクは前記外端部と内周部に隣接して離間する離散的な突出部を備え、前記外端部に隣接する互い違いの突出部は前記ディスクの前記外端部にほぼ接して位置するとともに、前記内周部上の突出部は前記ディスクの内端部にほぼ垂直である請求項３乃至６いずれかに記載の光ディスク。
【請求項８４】
前記突出部はスロットロードドライブへの読み込みを容易にするよう方向付けられる請求項３乃至６いずれかに記載の光ディスク。
【請求項８５】
前記第１の型の突出部はスロットロードドライブへの読み込みを容易にするよう離間され、前記第２の型の１つ又は複数の突出部は前記第１の型の突出部間に備えられ、ディスク表面と潜在的にダメージを受けやすい表面との間の接触を減少させる請求項３乃至６いずれかに記載の光ディスク。
【請求項８６】
前記第１の型の突出部は前記第２の型の突出部の高さより高い請求項３乃至６いずれかに記載の光ディスク。
【請求項８７】
前記第２の型の突出部はスロットロードドライブへの読み込みと干渉しないよう構成される請求項３乃至６いずれかに記載の光ディスク。
【請求項８８】
前記第１の型の突出部は前記ディスクの高さのほぼ１／２から１／４である請求項３乃至６いずれかに記載の光ディスク。
【請求項８９】
前記第１の型の突出部は前記ディスクの高さのほぼ１／２から１／４であり、前記第２の型の突出部は前記第１の型の突出部の高さのほぼ１／２から２／３である請求項３乃至６いずれかに記載の光ディスク。
【請求項９０】
前記第１の型の突出部は前記ディスクの高さのほぼ１／２から１／４であり、前記第２の型の突出部は前記第１の型の突出部の高さのほぼ１／２から２／３であるとともに、いずれの付加的な型の突出部も前記第１の型の突出部の高さと同じかより低い請求項３乃至６いずれかに記載の光ディスク。
【請求項９１】
前記第１の型の突出部は高さが約０．６ｍｍから０．３ｍｍであって、前記ディスクの高さが約１．２ｍｍである請求項３乃至６いずれかに記載の光ディスク。
【請求項９２】
前記第１の型の突出部は高さが約０．６ｍｍから０．３ｍｍであって、前記ディスクの高さが約１．２ｍｍであって、前記第２の型の突出部は前記第１の型の突出部の高さのほぼ１／２から２／３である請求項３乃至６いずれかに記載の光ディスク。
【請求項９３】
前記第１の型の突出部は高さが約０．６ｍｍから０．３ｍｍであって、前記ディスクの高さが約１．２ｍｍであって、前記第２の型の突出部は前記第１の型の突出部の高さのほぼ１／２から２／３であるとともに、いずれの付加的な型の突出部も前記第１の型の突出部の高さと同じかより低い請求項３乃至６いずれかに記載の光ディスク。
【請求項９４】
前記光ディスクは約１．２ｍｍの厚さであって、第１の型の突出部は前記外端部に隣接して配置され約０．４５ｍｍの高さである請求項３乃至６いずれかに記載の光ディスク。
【請求項９５】
前記光ディスクは少なくとも１つの表面上の突出部と反対側の表面上の補足的窪みとを備える請求項３乃至６いずれかに記載の光ディスク。
【請求項９６】
前記光ディスクは少なくとも１つの表面上の突出部とディスクの積み重ねを容易にするための反対側の表面上の補足的窪みとを備える請求項３乃至６いずれかに記載の光ディスク。
【請求項９７】
さらに、第１の型の突出部と第２の型の突出部の所定のパターンを備え、前記第１の型の突出部と前記第２の型の突出部が互い違いに離間し、第１の型の突出部と第２の型の突出部の１つを備える主突出部組の間隔が増大することを可能にする請求項３乃至６いずれかに記載の光ディスク。
【請求項９８】
さらに、第１の型の突出部と第２の型の突出部の所定のパターンを備え、前記第１の型の突出部と前記第２の型の突出部が互い違いに離間し、第１の型の突出部と第２の型の突出部の１つを備える主突出部組の間隔が増大することを可能にし、スロットロードプレイヤーへの読み込みの際の干渉を減少させる請求項３乃至６いずれかに記載の光ディスク。
【請求項９９】
さらに、第１の型の突出部と第２の型の突出部の所定のパターンを備え、前記第１の型の突出部と前記第２の型の突出部が互い違いに離間し、第１の型の突出部と第２の型の突出部の１つを備える主突出部組の間隔が増大することを可能にし、前記突出部のサイドプロフィールを減少させる請求項３乃至６いずれかに記載の光ディスク。
【請求項１００】
さらに、第１の型の突出部と第２の型の突出部の所定のパターンを備え、前記第１の型の突出部と前記第２の型の突出部が互い違いに離間し、第１の型の突出部と第２の型の突出部の１つを備える主突出部組の間隔が増大することを可能にし、必要とされる主突出部の総数を減少させる請求項３乃至６いずれかに記載の光ディスク。
【請求項１０１】
さらに、第１の型の突出部と第２の型の突出部の所定のパターンを備え、前記第１の型の突出部と前記第２の型の突出部が互い違いに離間し、さらに前記第１の構成は第１の幅を含み前記第２の構成は第２の幅を含む請求項３乃至６いずれかに記載の光ディスク。
【請求項１０２】
さらに、第３の構成を有する少なくとも第３の型の突出部を備え、前記第１の構成は第１の高さを含み第２の構成は第２の高さを含むとともに、前記第３の構成を有する前記突出部は前記外端部に隣接して位置し第２の高さと同じ高さを有する請求項３乃至６いずれかに記載の光ディスク。
【請求項１０３】
さらに、第３の構成を有する少なくとも第３の型の突出部を備え、前記第１の構成は第１の高さを含み第２の構成は第２の高さを含むとともに、前記第３の構成を有する前記突出部は前記外端部に隣接して位置し第２の高さと同じ高さを有し、前記突出部は異なる形状を有する請求項３乃至６いずれかに記載の光ディスク。
【請求項１０４】
前記第１の型の突出部は前記第２の型の突出部と同じ高さを有する請求項３乃至６いずれかに記載の光ディスク。
【手続補正２】
【補正対象書類名】明細書
【補正対象項目名】００２９
【補正方法】変更
【補正の内容】
【００２９】
突出部組１２'''、１４”、６８の中で方向、形状、高さの違いはいくつかの利点を提供することができる。例えば、より小さい第３突出部組６８を使用すると第１突出部組１２'''により大きい間隔をあけることが可能になり、第１表面１６の保護に重大な影響を与えることはない。実質的に平らな表面上に光ディスク１０'''の第１表面１６を置き前記平らな表面と突き合わせると、第３突出部組６８は２つの面間の間隙を維持する作用を行ない、第１突出部組１２'''が形成する間隙より小さい間隙を提供する。第１突出部組１２'''の増大した間隔と第２突出部組１４”の半径の方向は、スロット挿入光ディスクリーダ及びドライブと第１突出部組１２'''及び第２突出部組１４”との間の干渉を最小化する作用を行なう。前述の説明は単に様々なタイプの突出部を区別することができる異なる構成のいくつかの例である。他の特徴は他のタイプの突出部間で区別するために使用されることができる。突出部１２'''、１４”、６８を上記の方法のいずれかを使って提供することができる。例えば、突出部１２'''、１４”、６８は光ディスク１０'''製造中に射出成形によって形成される。あるいは、光ディスク１０'''製造後に取着できる。